(57)【要約】【課題】炭酸水素ナトリウムを含有せしめたアルカリ性固形化粧石鹸用素材に、多孔質シリカにクエン酸等の有機酸を圧入して内包させて形成したマイクロカプセルを配合して固形化粧石鹸を製造し、該固形化粧石鹸の使用時に二酸化炭素を発生させる。【解決手段】一般に既に公知の素材として使用されている複数種の固形化粧石鹸用素材（水を含む）８８．０〜９８．０重量％に、炭酸水素ナトリウム１．０〜７．０重量％を添加混入して製造されたアルカリ性固形化粧石鹸用素材に、更に多孔質シリカに有機酸を圧入して内包させて形成したマイクロカプセル１．０〜５．０重量％を配合して固形化粧石鹸を製造し、該固形化粧石鹸の使用時に二酸化炭素を発生させる。【選択図】なし【特許請求の範囲】
【請求項１】
一般に既に公知の素材として使用されている固形化粧石鹸用素材（水を含む）８８．０〜９８．０重量％に、炭酸水素ナトリウム１．０〜７．０重量％を添加混入して製造されたアルカリ性固形化粧石鹸用素材に、更に多孔質シリカに有機酸を圧入して内包させて形成したマイクロカプセル１．０〜５．０重量％を配合して製造することを特徴とする二酸化炭素を発生する固形化粧石鹸の製造方法。
【発明の詳細な説明】
【技術分野】
【０００１】
本発明は、従来一般に公知の固形化粧石鹸用素材に炭酸水素ナトリウムを含有せしめてアルカリ性の固形化粧石鹸用素材とし、該アルカリ性の固形化粧石鹸用素材に多孔質シリカにクエン酸等の有機酸を圧入して内包させて形成したマイクロカプセルを配合し、固形化粧石鹸の使用時に二酸化炭素を発生させることができる固形化粧石鹸の製造方法に関する。
【背景技術】
【０００２】
従来、炭酸水素ナトリウムを含有せしめて二酸化炭素を発生させる固形化粧石鹸を含む化粧品は、１剤と２剤（逆の場合もある）を用事混合して、１剤に含まれる炭酸水素ナトリウムを２剤に含まれる有機酸で反応させて二酸化炭素を発生させるものであった。そして、二酸化炭素を発生させずに化粧品として安定に保つために、１剤をアルカリ性にしておけば長時間安定であるが、二酸化炭素を発生させるためには、酸の２剤を添加して、系を酸性にする必要がある。一方、固形化粧石鹸は、その使用時に二酸化炭素を発生させることで、肌の血行促進、皮膚洗浄、消臭等の効能が期待できる。しかし、用事混合で１剤と２剤を混ぜる過程は時間がかかり不便なため、便利な１剤型式で使用時に二酸化炭素を発生させる固形化粧石鹸が待ち望まれていた。
【０００３】
特に、固形化粧石鹸は脂肪酸の強塩基性塩であって、強塩基性のため、相反する塩基性物質と酸性物質を共存させるのが極めて困難であり、更に加えて、石鹸使用中に酸性２剤を塗布することは、事実上使用法からもほぼ不可能であるので、１剤型式で使用時に二酸化炭素を発生させることができる固形化粧石鹸が望まれていた。
【０００４】
そして、基礎化粧品の分野において、二酸化炭素を発生させるものとして、過去の特許文献を遡及検索すると、１剤を酸性の溶液にし、２剤を炭酸塩素を含有するアルカリ性溶液とし、両者を用事混合し二酸化炭素を発生させる「二剤式二酸化炭素発生組成物」が、下記各特許文献に開示されて公知である。
【先行技術文献】
【特許文献】
【０００５】
【特許文献１】特許第５３８０７５８号公報
【特許文献２】特許第５６４８８７８号公報
【発明の開示】
【発明が解決しようとする課題】
【０００６】
前記特許文献に記載された「二酸化炭素発生組成物」は、１剤を酸性の溶液にし、２剤を炭酸塩を含有するアルカリ性溶液とし、両者を用事混合して二酸化炭素を発生させるものであるが、１剤と２剤を用事混合するのに手間と時間がかかり不便であるという課題があった。
【０００７】
本発明は、前記課題を解決すべくなされたものであって、従来一般に公知の固形化粧石鹸用素材に、炭酸水素ナトリウムを含有せしめてアルカリ性固形化粧石鹸用素材とし、該アルカリ性固形化粧石鹸用素材に多孔質シリカにクエン酸等の有機酸を圧入して内包させて形成したマイクロカプセルを配合することにより、従来のように、１剤と２剤を用事混合することなく、１剤式で系の安定性を保ちつつ、固型化粧石鹸の使用時のみ、二酸化炭素を発生させることができる固形化粧石鹸の製造方法を提供しようとするものである。
【課題を解決するための手段】
【０００８】
本発明は、一般に既に公知の素材として使用されている固形化粧石鹸用素材（水を含む）８８．０〜９８．０重量％に、炭酸水素ナトリウム１．０〜７．０重量％を添加混入して製造されたアルカリ性固形化粧石鹸用素材に、更に多孔質シリカに有機酸を圧入して内包させて形成したマイクロカプセル１．０〜５．０重量％を配合して製造するという手段を採用することにより、上記課題を解決した。
【発明の効果】
【０００９】
前記本発明製造方法に基づき、一般に既に公知の素材として使用されている複数種の固形化粧石鹸用素材に、炭酸水素ナトリウムを含有せしめて製造したアルカリ性固形化粧石鹸用素材に、クエン酸等の有機酸を多孔質シリカに圧入して内包させて形成したマイクロカプセルを配合して製造した固形化粧石鹸の使用時に、湯水等により溶かした石鹸液を手で肌に塗布摩擦すると、その摩擦力により、前記マイクロカプセルが破壊され、該マイクロカプセルに内包されている有機酸が露出して、これらが炭酸水素ナトリウムを反応して二酸化炭素を発生させ、肌の血行促進、洗浄および消臭効果を実現することができるという優れた効果を奏することができる。
【図面の簡単な説明】
【００１０】
【図１】本発明二酸化炭素を発生させる固形化粧石鹸の製造方法により製造された固形化粧石鹸と、他の方法により製造された固形化粧石鹸の各素材の配合割合とその評価結果を示す図である。
【実施例】
【００１１】
本発明の実施例を詳細に説明する。本発明は、固形化粧石鹸を製造する際、一般に既に公知の素材として使用されている複数種の固形化粧石鹸用素材に、炭酸水素ナトリウムを添加混入して製造されたアルカリ性固形化粧石鹸用素材に、更に多孔質シリカに有機酸を圧入して内包させて形成したマイクロカプセルを配合して製造する固形化粧石鹸の製造方法であって、前記本発明によって製造された固形化粧石鹸を、湯水等により溶かした石鹸液を手で肌に塗布摩擦すると、その摩擦力により、前記マイクロカプセルが破壊され、該マイクロカプセルに内包されている有機酸を露出させて、該露出した有機酸が炭酸水素ナトリウムと反応して、石鹸の使用時に二酸化炭素を発生させることができる化粧用石鹸の製造方法である。
【００１２】
前記有機酸を圧入して内包させて形成するマイクロカプセルは、従来一般に広く知られている方法により製造することができるが、本発明においては、多孔質のシリカの粉末を使用する。また、前記多孔質のシリカに圧入して内包する有機酸は、α―ヒドロキシ酸であるクエン酸、グリコール酸、リンゴ酸および乳酸のいずれをも使用することができる。そして、前記有機酸を圧入して内包させるマイクロカプセルは、平均粒径０．５〜４５０μｍの多孔質シリカを担体として製造される。
【００１３】
本発明は、従来一般に公知の素材として使用されている複数種の固形化粧石鹸用素材に、炭酸水素ナトリウムを含有せしめてアルカリ性固形化粧石鹸用素材とし、該アルカリ性固形化粧石鹸用素材に、クエン酸等の有機酸を多孔質シリカに圧入して内包させて形成したマイクロカプセルを配合して製造する固形化粧石鹸の製造方法であり、以下、図１に、本発明の素材を使用して製造された固形化粧石鹸と、他の素材を使用して製造された固形化粧石鹸の各素材の配合割合および製造された各化粧用石鹸の評価を比較して示す。なお、本実施例においては、前記有機酸として、クエン酸を使用するものとして説明する。
【００１４】
図１は、本発明二酸化炭素を発生させる固形化粧石鹸の製造方法により製造された固形化粧石鹸と、他の方法により製造された固形化粧石鹸の各素材の配合割合（重量％）とその評価結果を示す図である。図１に示す「処方１」〜「処方８」が各素材の配合割合を変えて製造した固形化粧石鹸を示す。前記処方中の「石鹸素地」・「グリセリン」・「１・３ＢＧ」および「防腐剤」は、固形化粧石鹸用の素材として一般に既に公知の素材として使用されているので、その配合割合はいずれも同一である。図１中の「クエン酸多孔質シリカマイクロカプセル」は、前記「多孔質シリカにクエン酸を圧入して内包させて形成したマイクロカプセル」のことで、本発明製造方法における素材であるが、他の「クエン酸ゼラチンマイクロカプセル」は、前記本発明素材である「クエン酸多孔質シリカマイクロカプセル」と比較するために使用した。前記「クエン酸ゼラチンマイクロカプセル」は、本発明とは異なり、クエン酸を「ゼラチンマイクロカプセル」に内包したものである。更に、「炭素水素ナトリウム」はクエン酸等の酸と反応して二酸化炭素を発生させるものとして使用している。また更に、配合割合の表中の最下段の「水で１００」との記載は、前記各素材を配合した後、これらに水を加えて、全体の重量を「１００重量％」とするという意味である。なお、前記「クエン酸多孔質シリカマイクロカプセル」は、クエン酸３５重量％、多孔質シリカ６５重量％の配合比率として製造したものを使用した。
【００１５】
前記各処方に従い各素材を配合して製造された固形化粧石鹸の「評価」の欄の上段には、「１．製剤の定着性（使用前に二酸化炭素を発生しない）」につき検証した結果が示されている。そして、「二酸化炭素」を発生しない、すなわち「固形化粧石鹸の完成直後、１日後、２日後、１週間後」の経時において、何も変化なし：◎」という評価を得たのは、「処方４」と「処方５」であった。また、「処方６」〜「処方８」および「処方２」も最高の評価ではないが、ある程度の評価が得られた。更に「評価」の欄には、「２、二酸化炭素の気泡の発生」を検証した結果が示されている。「気泡の確認」および「血行良し悪し」を検証した結果、「良好◎」の評価を得たのは、「処方２」・「処方３」・「処方５」・「処方６」および「処方７」であり、「処方８」は最高の評価ではないが、ある程度の評価が得られた。そして、前記２つの評価で、いずれも最高の評価を得たのは「処方５」の固形化粧石鹸であり、また多少優れた評価を得たのは、「処方２」および「処方６」〜「処方８」の固形化粧石鹸であった。
【００１６】
前記図１の評価の結果、一般に既に公知の素材として広く使用されている複数種の固形化粧石鹸用素材（水を含む）８８．０〜９８．０重量％に、炭酸水素ナトリウム１．０〜７．０重量％を添加混入して製造されたアルカリ性固形化粧石鹸用素材に、更に多孔質シリカに有機酸を圧入して内包させて形成したマイクロカプセル１．０〜５．０重量％を配合する配合割合が、特に好ましい配合割合であることを確認した。
【００１７】
そして、図１の評価の結果、一般に既に公知の素材として使用されている複数種の固形化粧石鹸用素材（水を含む）９３．０重量％に、炭酸水素ナトリウム４．０重量％を添加混入して製造されたアルカリ性化粧品石鹸用素材に、更に多孔質シリカに有機酸を圧入して内包させて形成したマイクロカプセル３．０重量％を配合する場合割合が、最も好ましい配合割合であることを確認した。
【００１８】
以上のことから、一般に既に公知の素材として使用されている複数種の固形化粧石鹸用素材（水を含む）８８．０〜９８．０重量％に、炭酸水素ナトリウム１．０〜７．０重量％を添加混入して製造されたアルカリ性固形化粧石鹸用素材に、更に多孔質シリカに有機酸を圧入して内包させて形成したマイクロカプセル１．０〜５．０重量％を配合して製造した固形化粧石鹸が、固型化粧石鹸として使用しないときは二酸化炭素が発生せず安定で、使用時のみ二酸化炭素を発生させ、肌の血行促進、洗浄、消臭効果において優れていることが確認できた。
【図１】
2017025268.tif 000002